(57)【要約】【課題】  甲板に、必要に応じて継甲板を継ぎ足して使用し得る机において、継甲板が机の一部に昇降自在に収納されており、構造が簡単で操作も容易であり、継甲板が下降位置にある時でも使用可能とした、多機能形のこの種机を提供する。【解決手段】  前後方向にスライド自在に保持された甲板２と、甲板２が後方に位置した時に、甲板２の後部分下部の下降位置に保持され、甲板２が前方に位置した時に、甲板２の後縁と面方向に連続する上昇位置に保持される継甲板３と、継甲板３を昇降自在に保持する昇降装置５とを具備する。【選択図】      図７
2005152329.tif 000002
【特許請求の範囲】
【請求項１】
前後方向にスライド自在に保持された甲板と、
甲板が後方に位置した時に、甲板の後部分下部の下降位置に保持され、甲板が前方に位置した時に、甲板の後縁と面方向に連続する上昇位置に保持される継甲板と、
継甲板を机本体に対し昇降自在に保持する昇降装置と、を具備することを特徴とする机。
【請求項２】
前記継甲板は、甲板が前方に位置した時に、甲板の後縁の下方と、甲板の後縁と面方向に連続する前記上昇位置に、少なくとも保持されるようにしたことを特徴とする請求項１に記載の机。
【請求項３】
前記継甲板は、甲板が前方に位置した時に、甲板の後縁下方の下降位置と、甲板の後縁と面方向に連続する上昇位置と、前記下降位置と上昇位置の中間位置に、少なくとも保持されるようにしたことを特徴とする請求項１又は２に記載の机。
【請求項４】
前記甲板は、机の両側脚板部の上部に前後方向にスライド自在に保持されており、前記継甲板は、甲板と同一幅とされると共に、机の両側脚板部の後部の上縁部に略Ｌ形に切欠き形成された前記切欠部から継甲板の両側縁部が外側方に突出された状態で昇降自在とされたことを特徴とする請求項１乃至３のいずれか１項に記載の机。
【請求項５】
前記昇降装置は、前記甲板をスライド自在に支持する机の両側脚板部に上下方向に設けられており、前記継甲板を上端部に支持する昇降自在の昇降板と、前記側脚板部に固定され、昇降板を昇降自在に保持する案内板と、昇降板側に可動操作自在に設けられた操作部と、この操作部の可動操作に連動して移動し、昇降板の所定昇降移動位置において、案内板側に上下多段に設けられた被係合部に選択的に係合自在とされた昇降板側の係合部材と、を具備し、操作部の可動操作により、係合部材が上下の被係合部の任意の段に係合されて、昇降板及び継甲板を所定の昇降位置に固定自在としたことを特徴とする請求項１乃至４のいずれか１項に記載の机。
【請求項６】
前記昇降装置は、前記甲板をスライド自在に支持する机の両側脚板部に上下方向に設けられ、前記継甲板を上端部に支持する支持板を有しており、支持板は、側脚板部に対する固定位置が上下に調整自在であり、所定の上下調整位置において、固定具により側脚板に対して固定自在とされていることを特徴とする請求項１乃至４のいずれか１項に記載の机。
【発明の詳細な説明】
【技術分野】
【０００１】
本発明は、学童用或いは事務用の机に関する。
【背景技術】
【０００２】
学童用或いは事務用の机に、パソコンやテレビジョン等の比較的大形の電子事務機器を載置して使用することが一般的になり、必要に応じて甲板の前後の幅を広くして使用する必要が生じている。
【０００３】
このために、机の両側脚板部の上面において、甲板を前後に移動自在とし、前方に移動させた甲板の後部に、継甲板を継ぎ足して使用することが行われている。この場合、継甲板は、不使用時には机の内部又は外部に収納し、或いは、机とは別の場所に収納し、必要に応じて取り出して使用する。
【０００４】
また、従来より、食卓の一種に、伸縮式の甲板を有する伸縮式食卓がある。これは、一般的には左右に分離自在とさせた甲板の中央部に、別途収納させた継甲板を嵌置させる構造である。あるいは、甲板を左右に分離させた時に、リンク機構等により、その分離中央部に下方に収納させておいた継甲板を上昇させて嵌置させる構造である。
【発明の開示】
【発明が解決しようとする課題】
【０００５】
しかしながら、継甲板を使用する上記従来の構造のうち、継甲板を机とは分離させて収納させておき、必要に応じて使用者が取り出して甲板に継ぎ足して用いる方式では、使用時に継甲板の収納位置が不明となったり、また、継ぎ足し作業が面倒であり、更には、継甲板の載置が不安定となる問題がある。また、従来の継甲板を継ぎ足して用いる方式では、その構造上、甲板の中央部を開閉して左右の支持を利用した設置になるため、机としての使用頻度が高い甲板の中央の場所に継甲板の嵌置部を設けることとなり、結果、段差や隙間が発生し、実作業の場において十分な机機能を損なうことがあった。また、上記従来のリンク機構等を用いる構造では、構造が複雑で製造が面倒であり、故障が置き易いなどの問題がある。
【０００６】
さらに、従来のバタフライ方式或いは別置き方式による継ぎ足し方式では、継甲板の有効利用が無いばかりか、高価なスライド収納金具を使用する場合以外のケースでは、継甲板が、本体デスクより後方或いは側方にはみ出たまま垂れ下がり、拡張機能を利用しない期間のユーザーにとっては、コスト及びスペースの無駄にしかならなっかった。さらには、拡張して使用する際には、机自体の設置場所によっては、机を移動しなければ使用できないことが多く、且つ、取付の際に非常に手間がかかるなどの問題もある。
【０００７】
本発明は以上の問題点を解決するものであり、甲板に、必要に応じて継甲板を継ぎ足して使用し得る机において、継甲板が机の一部に収納されており、構造が簡単で操作も容易であり、使用時に机自体を移動させる必要もなく、継甲板が下降位置にある時でも使用可能とした、多機能形のこの種机を提供することを目的としている。
【課題を解決するための手段】
【０００８】
上記目的を達成するために、本発明の机１は、図の実施の態様にも示すように、前後方向にスライド自在に保持された甲板２と、甲板２が後方に位置した時に、甲板２の後部分下部の下降位置に保持され、甲板２が前方に位置した時に、甲板２の後縁と面方向に連続する上昇位置に保持される継甲板３と、継甲板３を机本体に対して昇降自在に保持する昇降装置５と、を具備することを特徴としている。この場合、甲板２は、机１の机本体を構成する両側脚板部４の上面若しくは内面間に前後方向にスライド自在に設け、昇降装置５は、両側脚板部４の内面又は外面に上下方向に昇降自在に設けることが適当である。
【０００９】
このように、本発明では、前後方向にスライド自在とした甲板２の後部の下部に昇降装置５を介して継甲板３を垂直上下方向に昇降自在に設けているところから、継甲板３の上昇使用と不使用時における下降収納の操作が容易であり、継甲板３の収納場所が机の一部となり、不明となるなどの恐れもない。また、スペース効率が良く、継甲板３の使用時に机自体を移動させる必要もない。
【００１０】
上記継甲板３は、甲板２が前方に位置した時に、甲板２の後縁の下方と、甲板２の後縁と面方向に連続する上記上昇位置に、少なくとも保持されるようにしている。
【００１１】
また、上記継甲板３は、甲板２が前方に位置した時に、上記下降位置と上昇位置の中間位置の一カ所又は複数箇所に多段に保持されるようにしても良い。
【００１２】
このように、本発明では、甲板２を前方に位置させた時に、継甲板３を甲板２の一段下に位置させることが可能となる。これにより、一段下の継甲板３上に、パソコンなどの電子事務機器を置いて使用することが出来、この場合、機器の脚が甲板２の下になって、モニター表示が見易くなるという利点がある。また、一段下の継甲板３上に、花瓶などの屋内装飾品を置いて立体的に使用することもできる。
【００１３】
上記昇降装置５は、上記甲板２をスライド自在に支持する机１の両側脚板部４に上下方向に設けられている。この昇降装置５は、上記継甲板３を上端部に支持する昇降自在の昇降板６と、昇降板６を昇降自在に保持させる固定の案内板７と、昇降板６の上部の外側部に可動操作自在に設けられた操作部８と、を具備し、両側脚板部４の後部の上縁部に形成された切欠部９から手を入れて操作部８を可動操作することにより、昇降板６及び継甲板３を昇降自在且つ所定の昇降位置において下方向に固定自在とした構造とされている。
【００１４】
また、上記甲板２は、机１の両側脚板部４の上部に前後方向にスライド自在に保持されており、甲板３の両側縁は両側脚板部４よりも外方に突出している。また、上記継甲板３は、甲板２と同一幅とされると共に、継甲板３の両側縁部が机１の両側脚板部４の後部の上縁部に略Ｌ形に切欠き形成された上記切欠部９から側方に突出された状態で昇降自在とされている。図１に示すように、昇降板６が最下降位置にある時に、切欠部９から操作部８が外方向に表出され、切欠部９から手を入れて操作部８を可動操作すすことが出来るようになっている。尚、操作部８は、昇降装置５の内壁面側に設けられていても良く、この場合には、机１の後方から、机の内部に手を入れて操作部８を操作することになる。
【００１５】
上記のような昇降装置５を用いることにより、机１の外側方から手で操作部８を持って、昇降板６及び継甲板３を昇降操作させることにより、継甲板３を垂直上下方向に移動させてその上下位置を簡単且つ正確に上下多段に設定させることができる。
【００１６】
また、図１２の実施の態様に示すように、昇降装置１０５は、継甲板３を上端部に支持する左右一対の支持板２２を有しており、支持板２２は、側脚板部４に添設されて、その固定位置が上下に調整自在であり、所定の上下調整位置において、固定具２４により側脚板に対して固定自在とされていてもよい。
【００１７】
このような構造では、継甲板３の昇降装置が左右一対の板による支持板２２により構成され、固定もボルトとナットでよく、安価で故障も少ない。
【発明の効果】
【００１８】
以上説明したように、本発明では、前後方向にスライド自在とした甲板２の後部の下部に昇降装置５（１０５）を介して継甲板３を昇降自在に設けているところから、継甲板３の上昇使用と不使用時における昇降操作が単純な垂直方向となって容易である。また、継甲板の不使用時に、継甲板を机から外して、別の場所に収納する従来の構造に比較し、本発明では、継甲板３の収納場所が机の一部であって、外部から見える箇所となり、不使用時においても継甲板３の収納位置が判らなくなる等の恐れがない。また、必要な場合には、継甲板３を何時でも上昇させて使用することができ、便利である。また、スペース効率も良く、継甲板３の使用と収納に場所を取らず、机を移動させる必要もない。
【００１９】
また、本発明では、甲板２を前方に位置させた時に、継甲板３を甲板２の一段下に位置させることが可能となる。これにより、一段下の継甲板３上に、パソコンなどの電子事務機器を置いて使用することが出来、この場合、機器の脚が甲板２の下になって、モニター表示が見易くなるという利点がある。また、一段下の継甲板３上に、花瓶などの屋内装飾品を置いて立体的に使用することもできる。
【００２０】
さらに、本発明では、昇降板６及び継甲板３を容易に垂直移動させて、多段にその位置を調整させて固定させることができることから、継甲板３の昇降操作を容易且つ正確に行わせることができ、故障などの恐れも少なく、保守管理が容易である。
【発明を実施するための最良の形態】
【００２１】
（第１の実施の形態）
以下本発明の好ましい実施の形態につき添付図面を参照して詳細に説明する。
図１乃至図１１は、本発明の第１の実施の形態を示す。
本実施の形態に係る机１は、事務用若しくは学童用の机であって、両側脚板部４、４の上部に、前後方向にスライド自在に甲板２が設けられている。甲板２が後方に位置した時（図１参照）に、甲板２の後部分下部の下降位置に継甲板３が保持され、甲板２が前方に位置した時（図５参照）に、甲板２の後縁と面方向に連続する上昇位置に継甲板３が上昇して保持されている。
【００２２】
継甲板３は、両側脚板部４、４の夫々の内壁面に縦方向に設けられた昇降装置５、５によって昇降自在に支持されている。
【００２３】
この昇降装置５は、継甲板３を上端部を支持する昇降自在の昇降板６と、昇降板６を昇降自在に保持させる固定の案内板７と、昇降板６の上部の外側部に可動操作自在に設けられた操作部８と、を具備している。案内板７は、側脚板部４、４の内壁面に縦方向に固定されている。
【００２４】
図８及び図９に示されるように、案内板７には、上下多段の被係合部１０が形成されている。被係合部１０は、案内板７の板面に縦方向に設けたスリット状の案内口１２の縦方向内壁に形成された略鋸歯状の段部１０ａにより上下多段に形成されている。
【００２５】
昇降装置５の昇降板６の上部の外面には、上下方向に可動操作自在に操作部８が設けられ、昇降板６の中間部若しくは下部の外面には、枢軸１３により回動板１４が枢着されている。回動板１４の板面には、ピン状の係合部材１１が突出形成されている。係合部材１１は、枢軸１３に中間部が巻回された、バネ１５により、自然状態では段部１０ａに係合弾圧されている。バネ１５の基端は、昇降板６に固定され、中間部が枢軸１３に巻回され、先端部が係合部材１１を段部１０ａに対して弾圧付勢している。
【００２６】
操作部８と回動板１４とは、棒状の連結部材１６により連動連結され、操作部８を上動操作した時に、バネ１５の弾動力に抗して回動板１４が回動し、係合部材１１が段部１０ａから外れて、昇降板６は、案内板７に対して昇降自在となる。操作部８を離した時には、バネ１５の弾動力によって回動板１４が自然回動し、係合部材１１が段部１０ａに係合して、昇降板６は案内板７に対して固定される。操作部８を離した状態では、昇降板６は、下方向には固定されるが、上方向には、段部１０ａに連続する被係合部１０の逆フ形の傾斜面に沿って自由に上昇移動させることができる。
【００２７】
図９に示されるように、昇降板６と案内板７の対向面には、互いに歯合して、上下方向に相対移動するラック１７とピニオン１８が設けられている。図では、昇降板６に縦方向にラック１７が設けられ、案内板７にピニオン１８が枢着されているが、昇降板６側にピニオンを設け、案内板７側にラックを設けるようにしてもさしつかえない。
【００２８】
上記昇降装置５の動作を、継甲板３の位置関係と関連させて、図１０ａ〜ｄによって説明する。
図１０ａに示すように、昇降板６及びこれに支持される継甲板３が最下降位置にある時には、係合部材１１が最下段の段部１０ａに係合して固定される。
この最下段位置から継甲板３を上昇させるためには、図１０ｂに示すように、操作部８又は継甲板３を持って、引上げれば良い。任意の引上げ位置で固定させるためには、図１０ｃに示すように、継甲板３を任意の中間位置に引き上げて操作部８を放せば、係合部材１１が任意の中間段部１０ａに係合して、その位置で下方向に係合固定される。
継甲板３を甲板２と面方向に連続する最上昇位置とする為には、図１０ｄに示すように、継甲板３を最上昇位置に引き上げて操作部８を放せば、係合部材１１が最上段部１０ａに係合して、その位置で下方向に係合固定され、継甲板３は甲板２と面方向に連続する最上昇位置に固定される。
【００２９】
甲板２は、机１の両側脚板部４の上部に前後方向にスライド自在に保持されており、甲板３の両側縁は両側脚板部４よりも外方に突出している。また、継甲板３は、甲板２と同一幅とされると共に、継甲板３の両側縁部が机１の両側脚板部４の後部の上縁部に略Ｌ形に切欠き形成された切欠部９から側方に突出された状態で昇降自在とされている。図１に示すように、昇降板６が最下降位置にある時に、切欠部９から操作部８が外方向に表出され、切欠部９から手を入れて操作部８を可動操作すすことが出来るようになっている。
【００３０】
甲板２の下面の両側やや内方には、内部に引出が設けられた枠板１９が設けられている。この枠板１９の外壁面と側脚板部４の内壁面には、互いに前後方向に案内される、断面略コ形の引き出しレール２０が設けられている。また、側脚板部４の上面部には、甲板２の下面を支持して案内する案内転車２１が、設けられている。甲板２は、その最前方引き出し位置と最後方収納位置において固定されるように、ストッパー機構が設けられている。
【００３１】
次に、上記机１の使用状態を説明する。
図１乃至図４及び図１０ａの継甲板収納状態では、甲板２は、後方に位置し、継甲板３は、甲板２の後部の下方に、重合状に収納されている。この状態で、継甲板３の収納状態を机の後方から確認することができる。
【００３２】
図５及び図１０ｂの継甲板使用状態では、甲板２は、レール２０によって、前方に引き出され、継甲板３は、上記と同様の最降下位置に設定されている。
【００３３】
図６及び図１０ｃの継甲板中間使用状態では、甲板２は、レール２０によって、前方に引き出され、継甲板３は、上記の最降下位置から、上方に引き上げられて、中段に設定されている。
【００３４】
図７及び図１０ｄの継甲板連続使用状態では、甲板２は、レール２０によって、前方に引き出され、継甲板３は、最上昇位置に引き上げられて、甲板２と同一平面とされ、甲板面を広く使用させることができる。
【００３５】
（第２の実施の形態）
図１２Ａ，Ｂは、本発明の第２の実施の形態を示す。Ａは継甲板３の収納位置、Ｂは継甲板３の連続使用位置を示している。
第２の実施の形態では、昇降装置１０５が、左右一対の一枚づつの上下に長い板体よりなる支持板２２により構成され、左右の支持板２２の上端間に上記と同様の継甲板３が架設されている。支持板２２は、ボルトとナットよりなる固定具２４によって、側脚板部４に添設固定され、その固定位置が上下多段とされている。固定具２４は、支持板２２に上下多段に貫通して設けた固定孔２３から挿入され、側脚板部４に上下多段に埋め込んで設けられた鬼ナットに螺締される。
【００３６】
支持板２２は、側脚板部４に固定された上下方向の案内板に対し昇降自在に保持させることが出来る。この場合、支持板２２の所定昇降位置において、支持板２２と案内板とを固定具により固定させる構造とすることができる。
【産業上の利用可能性】
【００３７】
本発明の机は、学童机の他事務机として使用することができる。
【図面の簡単な説明】
【００３８】
【図１】本発明に係る机の第１の実施の形態の側面図である。
【図２】同正面図である。
【図３】同平面図である。
【図４】同背面方向から観た斜視図である。
【図５】本発明に係る机の使用状態を示す側面図である。
【図６】本発明に係る机の別の使用状態を示す側面図である。
【図７】本発明に係る机のさらに別の使用状態を示す側面図である。
【図８】本発明に係る机に用いる昇降装置の正面図である。
【図９】本発明に係る机に用いる昇降装置の案内板を外した状態の正面図である。
【図１０】ａ乃至ｄは同昇降装置と継甲板の動作を説明する側面図である。
【図１１】本発明に係る机のレール部分の拡大斜視図である。
【図１２】本発明に係る机の第２の実施の形態の側面図である。
【符号の説明】
【００３９】
１  机、２  甲板、３  継甲板、４  側脚板部、５，１０５  昇降装置、６  昇降板、７  案内板、８  操作部、９  切欠部、１０  被係合部、１０ａ  段部、１１  係合部、１２  案内口、１３  枢軸、１４  回動板、１５  バネ、１６  連結部材、１７  ラック、１８  ピニオン、１９  枠板、２０  レール、２１  案内転車，２２  支持板、２３    固定孔、２４  固定具
【図１】
2005152329.tif 000003
【図２】
2005152329.tif 000004
【図３】
2005152329.tif 000005
【図４】
2005152329.tif 000006
【図５】
2005152329.tif 000007
【図６】
2005152329.tif 000008
【図７】
2005152329.tif 000009
【図８】
2005152329.tif 000010
【図９】
2005152329.tif 000011
【図１０】
2005152329.tif 000012
【図１１】
2005152329.tif 000013
【図１２】
2005152329.tif 000014